(57)【要約】【課題】  視聴者の欲する番組を重複録画することなく自動録画するとともに、嗜好度に応じて適切な録画予約制御を自可能とすることにある。【解決手段】  番組を視聴者の嗜好に基づいて自動録画する自動録画装置であって、番組を録画する録画手段と、放送される電子番組表を記憶する電子番組表記憶手段と、電子番組表で送られる番組の時間、チャンネル、ジャンル、番組名、出演者等の各電子番組情報について視聴者の嗜好に応じて重み付けがなされた嗜好情報を記憶する嗜好情報記憶手段と、過去に視聴した番組の視聴済ライブラリ記憶手段とを備え、視聴者の嗜好に応じた番組で且つ視聴者が過去に視聴していない番組を自動的に録画する。【選択図】  図１
2006080974.tif 000002
【特許請求の範囲】
【請求項１】
番組を視聴者の嗜好に基づいて自動的に録画する機能を有した自動録画装置であって、番組を録画する録画手段と放送される電子番組表を記憶する電子番組表記憶手段と、
電子番組表で送られる番組の時間、チャンネル、ジャンル、番組名、出演者等の各電子番組情報について視聴者の嗜好に応じて重み付けがなされた嗜好情報を記憶する嗜好情報記憶手段と、
過去に視聴した番組の視聴済ライブラリ記憶手段とを備え、
視聴者の嗜好に応じた番組で且つ視聴者が過去に視聴していない番組を自動的に録画することを特徴とする自動番組録画装置。
【請求項２】
請求項１において、
電子番組表記憶手段と嗜好情報記憶手段から放送される各番組の嗜好度数を判定し、一定の録画開始レベル以上の嗜好度数と判定された番組で且つ視聴者が過去に視聴していない番組を重複することなく録画することを特徴とする自動番組録画装置。
【請求項３】
請求項１において、
電子番組表記憶手段と嗜好情報記憶手段から放送される各番組の嗜好度数を判定し、一定の録画開始レベル以上の嗜好度数と判定された番組で且つ視聴者が過去に同一番組を視聴していても放送日付から番組の内容判定し重複することなく録画することを特徴とする自動番組録画装置。
【請求項４】
請求項１において、
録画部の空き容量の検出手段を有し、空き容量が録画しようとする番組の必要容量より不足する場合は、録画されている番組の電子番組情報と録画しようとしている番組の電子番組情報と嗜好情報記憶手段に記憶された視聴者の嗜好情報を基に嗜好度数を比較し、録画されている番組のほうの嗜好度数が高ければ録画を中止し、録画しようとしている番組のほうの嗜好度数が高い場合は、嗜好度数の低い録画済の番組を消去して、嗜好度数の高い番組を録画することを特徴とする自動番組録画装置。
【請求項５】
請求項１において、
録画部の空き容量の検出手段を有し、空き容量が録画しようとする番組の必要容量より不足する場合は、録画されている番組の電子番組情報と録画しようとしている番組の電子番組情報と嗜好情報記憶手段に記憶された視聴者の嗜好情報を基に嗜好度数を比較し、録画されている番組と録画しようとしている番組の嗜好度数が同じ場合は、放送日付の古い番組を消去して、放送日の新しい番組を録画することを特徴とする自動番組録画装置。
【請求項６】
請求項１において、
前記嗜好情報記憶手段は画像の入力ソース毎に嗜好度数を設定し、前記録画番組と同様に嗜好度数判定により録画手段の空き容量が不足された場合は、嗜好度数の低い番組又は画像が消去されて空き容量を増加させることを特徴とする自動番組録画装置。
【発明の詳細な説明】
【技術分野】
【０００１】
本発明は、ＴＶ放送番組をあらかじめ設定された視聴者の嗜好情報を元に、放送番組の電子番組表から番組を選択して自動的に録画し、また記憶部に空きが無い場合は、自動的に消去して番組を録画する録画再生装置に関するものである。
【背景技術】
【０００２】
ＴＶ放送番組を自動で録画予約する方法としては、視聴者が嗜好する番組のジャンルや出演者名等を設定しておくことによって放送される電子番組表から該当条件を検索して該当条件に合致する番組を自動的に録画予約する方法、視聴者が条件を設定しなくとも過去に視聴した番組に関する情報を用いて嗜好の分析を行い、視聴者が好むであろう番組を自動予約条件とするなどの方法がある（特許文献１を参照）。
【０００３】
また、番組を録画する記憶装置の容量は有限であり、自動録画を続けていると空き容量が不足し録画が出来なくなってしまう。このような場合は、録画すべき番組毎に自動的に消去することを禁止する期限を付与して録画を行い、次の録画のときに容量不足であればこれを検索し消去期限を経過した番組を自動的に消去し、空き領域を確保すると言った方法が採られていた。
【特許文献１】特開平１１−３０８５４７号公報
【発明の開示】
【発明が解決しようとする課題】
【０００４】
しかしながら、放送される番組によって例えばドラマや映画などにおいては再放送されるものも有り、単純に視聴者の嗜好のみで自動録画しようとすると、既に録画してある又は既に視聴した番組を重複して録画してしまい、視聴者の欲する番組を自動で録画することがかなえられない事となる。
【０００５】
そこで、既に記録媒体に録画されている番組と過去に視聴した番組のデータベースを作成し、視聴者の嗜好に合致した番組が放送されても該データベースと比較することによって、自動録画時の重複録画を防止し視聴者の欲する番組を自動録画することを目的とする。
【０００６】
また記憶媒体は有限であるため自動録画を繰り返し行っていると、その空き容量は減少し、新たな番組を録画することが出来なくなってしまう。
【０００７】
そこで空き容量が無い場合は録画予約候補が検出された時点で録画済番組の電子番組情報と録画予約候補の嗜好度判定を行い、録画予約候補の嗜好度が高ければ録画済番組を消去して録画候補番組を録画し、嗜好度が同じであれば録画日の古い順に消去して録画予約候補を録画し、録画予約候補の嗜好度が低ければ予約しない等の制御を可能とすることを目的とする。
【課題を解決するための手段】
【０００８】
前記目的を達成するために、本発明によれば、番組を視聴者の嗜好に基づいて自動的に録画する機能を有した自動録画装置であって、番組を録画する録画手段と放送される電子番組表を記憶する電子番組表記憶手段と、電子番組表で送られる番組の時間、チャンネル、ジャンル、番組名、出演者等の各電子番組情報について視聴者の嗜好に応じて重み付けがなされた嗜好情報を記憶する嗜好情報記憶手段と、過去に視聴した番組の視聴済ライブラリ記憶手段とを備え、視聴者の嗜好に応じた番組で且つ視聴者が過去に視聴していない番組を自動的に録画する自動番組録画装置を特徴とする。
【０００９】
また、本発明によれば、録画部に空き容量がなくなった場合は録画されている番組のＥＰＧ情報から嗜好度と新規に録画予約行おうとしている番組の嗜好度を判定し、録画されている番組の方の嗜好度が低ければ消去する嗜好度判定自動消去手段を備えたことを特徴とする。
【発明の効果】
【００１０】
録画済の嗜好度と録画予約候補の嗜好度を比較判定することによって、録画される番組は次々と嗜好度が高くなり、より視聴者の嗜好に合致した番組を記録させていくことができる。
【００１１】
また過去に視聴した番組をライブラリとして記録して録画判定を行うことで再放送される番組を重複して録画することなく、また自動消去時に番組同士の嗜好度を判定して消去するため、より視聴者の好みに合った番組が録画されるようになる。
【発明を実施するための最良の形態】
【００１２】
（第１の実施形態）
図１は本発明の実施例であり、受信部１、録画部２、空き容量検出部３、表示部４、外部Ｉ／Ｆ部５、電子番組表記憶部６、嗜好情報記憶部７、制御部８、視聴済番組ライブラリ９、入力部１０であり、制御部８にはプログラムが書き込まれたＲＯＭが内蔵されバス１１を介して制御している。
【００１３】
図２は録画部２の内部を示しており、画像を記憶する番組録画部２１、番組録画部に記憶された画像のＥＰＧ情報及び視聴された日付を記録する録画番組管理部２２である。
【００１４】
図３は嗜好情報記憶部に設定されている視聴者の嗜好情報の設定を変更する為のサブメニューを表示している例である。
【００１５】
図４は、嗜好情報記憶部に設定されている視聴者のＥＰＧ情報の各属性に対する嗜好情報を示している、つまりジャンル、チャンネル、放送日、時間、出演者などについての嗜好度に重みがつけられている。本嗜好度を各番組ごとに計算することによって各番組の嗜好度数を求めることができる。
【００１６】
図５はＥＰＧの例である。図６は、ＥＰＧの各番組を嗜好情報記憶されている嗜好度数を元に計算した結果であり、嗜好度の高い順に表示している自動録画予約画面例であり、嗜好度数１４以上を録画とした場合を示し、上位２番組だけが録画予約される例である。
【００１７】
図７は、嗜好度数１３以上を録画予約に変更した場合の自動録画予約画面例である。図８は、メニューの表示例であり、録画予約されている番組の一覧、嗜好度情報を設定、視聴済番組のライブラリ及び自動消去の設定を呼び出すことが出来る。
【００１８】
図９は、自動消去の設定例であり、嗜好度数に応じた自動消去、視聴するまで消去しない、録画の古い順に消去、手動のみの消去が選択できる。
【００１９】
図１０は、リモコンの概観図である。図１１は、視聴済番組ライブラリの表示であり、過去に視聴した番組のＥＰＧ情報が記録されている。図１２〜図１４はフローチャートである。
【００２０】
図１５は、番組録画部２１に記録されている番組のＥＰＧ情報と視聴された日付を管理している録画番組管理部２２の例である。
【００２１】
図１６は、入力ソース別の嗜好レベルの設定例である。
【００２２】
ここで自動予約の設定方法と自動消去について以下に詳細に述べる。図１０リモコンにてメニュウ８６を押下することによって、図８のメニュウが表示され上移動キー８１又は下移動キー８４などにより“２．嗜好情報設定”を選択し決定キー８２を押下する。
【００２３】
図３は嗜好情報の設定途中の画面例であり、上移動キー８１、右移動キー８３、下移動キー８４、左移動キー８５を用いて設定したいＥＰＧ情報個所及び録画優先レベル欄まで移動する。所望の個所まで移動し、決定キー８２を押下すると図示したサブメニューが表示される。ここで上移動キー８１と下移動キー８３を用いて所望の時間を選択し、更に決定キー８２を押下することによって決定する。図３の例では“２１：００”が決定される。サブメニュウは消去され図４のように表示される。この嗜好度情報と番組のＥＰＧ情報での嗜好度数の求め方は、図５に示したＥＰＧ情報が送られて来ている場合に、例えば１１／２６日の８チャンネル１９時からの番組「ＡＡＡ」では、ジャンルが映画なので５点、チャンネルが８なので５点、曜日が火曜なので１点、時間が９時からなので３点、５点に設定された出演者がいるので５点、５点に設定されたキーワードがあるので５点となり、合計嗜好度数が２２点となる。
【００２４】
６チャンネル９時からの番組「ＢＢＢ」では、ジャンルが映画なので５点、チャンネルが６なので４点、曜日が月曜なので２点、時間が９時からなので３点、５点に設定された出演者がいるので５点、キーワードは設定されたキーワードがないので０点となり、合計嗜好度数が１９点となる。
【００２５】
また、４チャンネル９時からの番組「ＣＣＣ」では、ジャンルが映画なので５点、チャンネルが６なので３点、曜日が火曜なので１点、時間が９時からなので３点、２点に設定された出演者がいるので２点、キーワードは設定されたキーワードがないので０点となり、合計嗜好度数が１４点となる。
【００２６】
以下同様にして他の番組についても嗜好度数を求めていく事によって、各番組の嗜好度数が得られる。録画予約する嗜好度数レベルが１４以上と設定してあるので、前記３つの番組が録画予約候補となる。
【００２７】
ここで、前記３番組を視聴済ライブラリの登録されていないかを検索すると図１１の第１行目に００．０３．０３に視聴されているので、図６に示す２番組「ＢＢＢ」及び「ＣＣＣ」だけが録画予約される。網掛けで表示されているのは録画予約されないことを示している。
【００２８】
録画嗜好度レベルは変更可能であり、リモコンの右移動キー８３を押下し再右端まで移動し、上移動キー８１を押下する事によって録画嗜好度レベルが高くなり、下移動キーを押下することによって録画嗜好度レベルを下がる。
【００２９】
録画嗜好レベルを１３と設定すると、録画予約される番組は多くなり合計４件の番組の録画予約されている例が図７である。このように視聴者の好みに応じて簡単に録画する番組の嗜好度の制限を調整する事が可能となる。
【００３０】
図１１は視聴済みライブラリの一覧の例であり、過去に自動録画された番組、視聴した番組、映画館で視聴した映画やビデオレンタル等で視聴した番組の一覧を記憶しているものであり、該データの追加、修正、削除は最下段に表示された位置迄リモコンにより移動して決定キーによりテキスト編集のＧＵＩを表示し編集を行ってもよいし、パソコンとＩＥＥＥ１３９４等のＩ／Ｆを用いて取込編集を行う方法でも良く視聴者のこれまでの視聴ライブラリを記録している。
【００３１】
図１１では映画３件とドラマ番組１件スポーツ番組１件が記録されている例である。
【００３２】
次に、フローチャートを用いて説明を行うと、ステップｓ１００にて自動録画が開始されると、ステップｓ１０１にて図４に示したＥＰＧ情報の属性に嗜好度数が設定されたデータを読み込む、ステップｓ１０２にてＥＰＧ情報を読み込む、ステップｓ１０３にて各々の番組に対する嗜好度数を前記データを用いて計算を行う。ステップｓ１０４においては録画嗜好レベルより各番組の嗜好度数が高いものだけを選択する。
【００３３】
ここで録画嗜好レベルより高い番組が無ければ、自動録画は行わないで終了する。
【００３４】
録画嗜好レベルより高い番組があれば、ステップｓ１０５にて視聴済みライブラリに登録されているかどうか判定し、過去に視聴されていなければ、ステップｓ１０６にて録画部の空き容量を判定し、十分な空き容量が或る場合は、ステップｓ１０６にて該番組を録画予約する。
【００３５】
ステップｓ１２０で放送開始時間になれば番組自体を番組録画部２１に録画し、該番組のＥＰＧ情報を録画番組管理部２２に記録する。ステップｓ１２１にて該番組のＥＰＧ情報を視聴済ライブラリに記録し終了する。
【００３６】
ステップｓ１０５にて該番組が視聴済ライブラリに登録されている場合は、ステップｓ１０８にて視聴済ライブラリに登録された番組の放送日と録画予約しようとしている番組の放送日を比較し同じであればステップｓ１２３で録画予約せずに終了する。
【００３７】
同じでなければステップｓ１０９へ進み、視聴済ライブラリに登録された番組の放送日が録画予約しようとしている番組の放送日が前日であるかどうか判定し、前日の番組であればステップｓ１０６へ進む。
【００３８】
前日の番組でなければステップｓ１１０へ進み、視聴済ライブラリに登録された番組の放送日が録画予約しようとしている番組の放送日が一週間前であるかどうか判定し、一週間前であればステップｓ１０６へ進み、一週間前でなければ録画予約せずに終了する。
【００３９】
ステップｓ１０６では録画予約を行おうとしている番組の放送開始時間と終了時間から録画部に必要な空き容量を求め、空き容量検出部にて検出される空き容量と比較し十分な空き容量がある場合はステップｓ１０７へ進み録画予約を行う。
【００４０】
十分な空き容量がない場合はステップｓ１３０へ進み録画されている番組のＥＰＧ情報を録画番組管理部２２より読み込む、ステップｓ１０３へ進み嗜好情報を読み込む、ステップｓ１３２へ進み嗜好情報とＥＰＧ情報から嗜好度数を計算し録画予約を行おうとしている番組と既に録画されている番組の嗜好度数を比較する。
【００４１】
既に録画されている番組の方の優先度が録画しようとしている番組の優先度より低い場合は、ステップｓ１３４へ進み嗜好度数の低い番組の削除を行う。
【００４２】
ステップｓ１３５では録画番組管理部２２から該番組が視聴されたかどうかを調べ前記削除された番組が視聴されていない場合はステップｓ１３６へ進み視聴済ライブラリ９から前記番組のＥＰＧ情報を消去する。ステップｓ１３３にて録画予約をしようとしている番組の方の嗜好度数が低いと判定された場合は録画予約を行わずに終了する。
【００４３】
本実施例では、ＥＰＧ情報と嗜好情報を個別に有しているので例えば視聴者が嗜好情報の設定を変更した場合に録画部２の空き容量が不足していると、新しい嗜好情報で嗜好度数判定を行う為に嗜好情報に応じて録画済みの番組も嗜好度数が計算されるので嗜好度数の低いものから消去され嗜好度数の高いものが蓄積されていく事となる。
【００４４】
ニュース番組などは、同一番組名であった場合は常に最新の放送日付を録画するようにしても良い。
【００４５】
ドラマなどにおいては一日の中で何度か再放送される番組がある、このような場合で同一嗜好度数と判定された他の番組放送時間が前記番組の初回放送と重複するような場合にあっては、同一嗜好度数と判定された他の番組を先に録画し、一日の中で何度か放送される番組は２回目以降の放送を録画しても良い。
【００４６】
なお、嗜好情報記憶部にはＥＰＧの各属性に対し、録画禁止情報の設定を行い視聴者の好まない番組の録画を禁止することが出来る。図４の例ではキーワードで“オカルト”を含む番組を録画禁止する例である。
【００４７】
（第２の実施例）
前記実施例では、放送番組の自動録画について説明を行ったが、放送番組以外の入力ソース例えばビデオ撮影された素材やインターネット等からダウンロードされた映像などについても撮影日付やダウンロード日付及びタイトルなどに嗜好度情報を付与することにより、記録部２に保存された場合の嗜好度数判定を行うことによって、記録部２の有限な容量を効率的に使用することが出来る。
【００４８】
図１６はその設定例であり、例えばＢＳディジタルで映画を有料で録画すると入力ソースがＢＳディジタルなので５点、ジャンルが映画なので５点、有料なので５点となり嗜好度数としては１５点となる。ビデオ２入力で、映画で、レンタルであれば前記同様にして３点、５点、５点となり嗜好度数が１３点となる。このように入力ソース別にも嗜好レベルを設定することによって例えば有料放送を録画した場合はその嗜好レベルを最も高くしておくことによって記録部２の空き容量がなくなった場合でも、より嗜好度数の低いものが先に消去されて嗜好度数の高いものが記録されていくこととなる。
【００４９】
また、第一の実施例で説明したように番組各々の嗜好度情報と本実施例のように入力ソース別の嗜好情報レベルを演算することにより嗜好度数を求めても良い。
【００５０】
以上説明したように、上述の実施例によれば、ＥＰＧ情報記憶手段と視聴者の嗜好記憶手段と視聴者の視聴済番組を記憶する手段を有し、視聴者の嗜好が設定された嗜好情報をもとに放送される番組のＥＰＧ情報から嗜好度数を判定し設定された一定のレベル以上点数と判定された番組を自動的に録画予約候補とし、視聴者の視聴済ライブラリに録画予約候補番組が無い事を条件として自動録画し、また録画手段の空き容量が不足している場合は録画予約候補番組と録画済み番組のＥＰＧ情報から優先度数を計算し録画済番組の方がより嗜好度数が低いと判定された場合は、嗜好度数の低い録画済みの番組を消去してより嗜好度数の高い番組を録画する事により、視聴者の嗜好度の相対的に低い番組が消去されて、より嗜好度の高い番組が録画されていくことが出来る。
【００５１】
また、一日の中で何度も繰り返し放送される番組は最初の放送で録画し二度目以降は録画しない。及び毎日放送される番組はたとえＥＰＧ情報が同一であっても毎日録画する。及び毎週放送される番組についてもたとえＥＰＧ情報が同じであっても毎週録画する。
【００５２】
このように、視聴済ライブラリ及び放送日付により重複録画を回避し、より視聴者の嗜好度の高い番組を自動的に録画することが出来る。
【図面の簡単な説明】
【００５３】
【図１】本発明の自動録画装置のブロック図の例を示す図である。
【図２】録画部の詳細図の例を示す図である。
【図３】視聴者の嗜好情報を設定する嗜好情報設定画面の編集例の例を示す図である。
【図４】視聴者の嗜好情報を設定する嗜好情報画面の例を示す図である。
【図５】電子番組表（ＥＰＧ）の例の例を示す図である。
【図６】自動録画予約されている番組の例の例を示す図である。
【図７】自動録画予約されている番組の例の例を示す図である。
【図８】メニュー表示の例の例を示す図である。
【図９】メニュー表示の例の例を示す図である。
【図１０】リモコンの例の例を示す図である。
【図１１】視聴済ライブラリの例を示す図である。
【図１２】本発明の動作を説明するためのフローチャートである。
【図１３】本発明の動作を説明するためのフローチャートである。
【図１４】本発明の動作を説明するためのフローチャートである。
【図１５】視聴管理の例を示す図である。
【図１６】入力ソース別嗜好度情報の例を示す図である。
【符号の説明】
【００５４】
２  録画部
７  嗜好情報記憶部
９  視聴済ライブラリ
２２  録画番組管理部
【図１】
2006080974.tif 000003
【図２】
2006080974.tif 000004
【図３】
2006080974.tif 000005
【図４】
2006080974.tif 000006
【図５】
2006080974.tif 000007
【図６】
2006080974.tif 000008
【図７】
2006080974.tif 000009
【図８】
2006080974.tif 000010
【図９】
2006080974.tif 000011
【図１０】
2006080974.tif 000012
【図１１】
2006080974.tif 000013
【図１２】
2006080974.tif 000014
【図１３】
2006080974.tif 000015
【図１４】
2006080974.tif 000016
【図１５】
2006080974.tif 000017
【図１６】
2006080974.tif 000018